(57)【要約】【課題】段ボール製のハウスに、猫が乗っても凹んだり押し潰されたりしない程度の強度を付与すると同時に、猫のストレスを解消させることができる諸機能を装備させた有用性の高い猫用遊具を提供する。【解決手段】ハウス１の上面部１ｃを、ひだ折りされた段ボール３、４と、猫用爪研ぎ器１４を包み込むラップラウンドケースＣに組み立てられる段ボール５とで形成して、その上面部１ｃの強度を高めると共に、ハウス１の側面部１ｂから、猫が引っ掻いたり、かじったりして遊べる段ボール３、４の端を突出させている。【選択図】図１
0003151070.tif 000002
【実用新案登録請求の範囲】
【請求項１】
猫が入り込める箱形のハウスが段ボールで形成される猫用遊具において、
ハウスの底面部と左右側面部を形成する第一の段ボールと、
ハウスの上面部の一部と前面部を形成する第二の段ボールと、
ハウスの上面部の一部と後面部を形成する第三の段ボールと、
第二の段ボールと第三の段ボールとの間に介在してハウスの上面部の一部を形成する第四の段ボールとを有し、
第二及び第三の段ボールが、ハウスの左右側面部間の間隔よりも幅広に形成されて、長さ方向に沿って一定の間隔もしくはランダムな間隔でひだ折りされ、
第一の段ボールで形成されるハウスの左右側面部の端縁に沿って、第二及び第三の段ボールのひだ折り部分を差し込む複数の切込溝が形成され、
第四の段ボールが、猫用爪研ぎ器をその爪研ぎ面が露出するように包み込むラップラウンドケースに組み立てられると共に、当該ラップラウンドケースの左右両端側にハウスの左右側面部の上端を差し込むスリットが形成されていることを特徴とする猫用遊具。
【請求項２】
第一〜第四の段ボールが、フルートの両面に表ライナと裏ライナを貼り合わせた両面段ボールで成り、第一の段ボールをフルートに対して直角方向に折り起こしてハウスの左右側面部が形成され、第二及び第三の段ボールをフルートに対して直角方向に折って前記ひだ折り部分が形成されている請求項１記載の猫用遊具。
【請求項３】
第二及び第三の段ボールの前記ひだ折り部分に、ハウスの左右側面部の端縁に沿って形成された切込溝の溝底に差し込む切込溝が形成されると共に、ひだ折りの折り目に沿って裏ライナとフルートが切断されている請求項２記載の猫用遊具。
【請求項４】
ハウスの左右側面部の上端に、ハウスの前面部側もしくは後面部側で上方に突出する一対の突起が形成され、当該両突起の上に、ハウスの上面部を形成する第二もしくは第三の段ボールが覆い被さって、ハウスの上面部の端に隆起部が形成される請求項１、２又は３記載の猫用遊具。
【請求項５】
前記隆起部に、猫じゃらし棒を挿し立てるための穴が穿設されている請求項４記載の猫用遊具。
【請求項６】
ハウスの前面部もしくは後面部の下端と、ハウスの底面部との間に、猫がハウス内から前肢を繰り出せる程度の隙間が形成される請求項１、２、３、４又は５記載の猫用遊具。
【請求項７】
前記猫用爪研ぎ器が、数センチ程度の厚さに断面カットされた積層段ボールで形成され、当該積層段ボールの断面が、爪研ぎ面となっている請求項１、２、３、４、５又は６記載の猫用遊具。
【請求項８】
ハウスの左右側面部の一方又は双方に、猫の出入口が開口形成されている請求項１、２、３、４、５、６又は７記載の猫用遊具。
【考案の詳細な説明】
【技術分野】
【０００１】
本考案は、飼い猫を室内で遊ばせてストレスを解消させるために使用する猫用遊具に関するものである。
【背景技術】
【０００２】
猫は、ストレスを感じやすく、特に、マンションで飼われている猫や、飼い主が留守がちな家で飼われている猫は、一日中室内に閉じ込められて過ごすことが多いため、恒常的にストレスを抱えている。そして、ストレスが溜まると、毛が抜けやすくなるため、グルーミング（毛づくろい）の際に毛を飲み込んで、消化管内に毛玉をつくり、嘔吐や消化不良の原因となる。また、猫の爪研ぎは、物を引っ掻くことで、古くなった爪を取り去り、新しい爪を尖らせようとする本能的行為であるが、ストレスが溜まると、爪研ぎのためではなく、ストレスを発散させるために、家具や建具、カーテン、絨毯などを爪で激しく引っ掻いて傷付けることがある。また、室内に遊べる物がないときは、スリッパや新聞、雑誌、ソファなどをかじってストレスを発散することがある。
【０００３】
そこで、飼い猫を室内で遊ばせてストレスを解消させるための猫用遊具として、キャットツリーあるいはキャットタワー、キャットジャングルジムなどと称する遊具が市販されている。この種の遊具は、室内の床面に立設するプラスチック製又は金属製の支柱に、暗くて狭い所に入り込む猫の習性を満足させる箱形のハウスや、高い所に登ってうずくまる猫の習性を満足させる棚板やハンモック、梯子などを取り付ける構成となっているから（特許文献１参照）、高価で、広い設置スペースを必要とし、移動や持ち運びも容易でないため、一般には普及していない。
【０００４】
なお、猫は１日の大半を寝て過ごし、成猫は１日１５〜１６時間、子猫や老猫は２０時間も寝ることがあるから、猫の寝床となるベッド（キャットベッド）や、猫の寝室となるハウス（キャットハウス）は、トイレに次ぐ必需品として比較的普及しているが、市販の猫用ベッドやハウスは、遊具としての機能を備えていないものが殆どである。
【０００５】
また、猫は、段ボールに非常な興味を示し、蓋が開いた段ボール箱の中に入って夢中で遊ぶ習性があることから、空箱となった外装用段ボール箱に猫の出入口や窓孔などを設けて段ボール製のハウスを自作する愛猫家もいるが、猫は高い所に飛び乗ってうずくまる習性があり、成猫は５〜１０Ｋｇ程度の体重があるため、みかん箱などに用いるＡ式段ボール箱や、上蓋がない半Ａ式段ボール箱などで作られたハウスは、その上に猫が飛び乗ったり、飛び降りたりする際に加わる衝撃荷重や、その上にうずくまる猫の重さによって、上面部に凹みが生じ、猫が乗り降りするたびにその凹みが大きくなって、直ぐにハウス全体が押し潰されて使用不能な状態になってしまうという問題がある。
【先行技術文献】
【特許文献】
【０００６】
【特許文献１】特開２００６−２１１９１９号公報
【考案の概要】
【考案が解決しようとする課題】
【０００７】
本考案は、猫が段ボールや段ボール箱に興味を示して夢中で遊ぶ習性を有することと、段ボールが、軽量、安価で、加工が容易な素材であり、しかも、使用後は資源ゴミとして分別回収されて平均７〜８回も再生利用できる地球環境に優しい素材であることに着目して、猫が入り込める箱形のハウスを段ボールで形成すると共に、当該ハウスに、猫が乗っても凹んだり押し潰されたりしない程度の強度を付与し、更に、猫のストレスを解消させることができる諸機能を装備させた有用性の高い猫用遊具を提供することを技術的課題としている。
【課題を解決するための手段】
【０００８】
上記課題を解決するために、本考案は、猫が入り込める箱形のハウスが段ボールで形成される猫用遊具において、ハウスの底面部と左右側面部を形成する第一の段ボールと、ハウスの上面部の一部と前面部を形成する第二の段ボールと、ハウスの上面部の一部と後面部を形成する第三の段ボールと、第二の段ボールと第三の段ボールとの間に介在してハウスの上面部の一部を形成する第四の段ボールとを有し、第二及び第三の段ボールが、ハウスの左右側面部間の間隔よりも幅広に形成されて、長さ方向に沿って一定の間隔もしくはランダムな間隔でひだ折りされ、第一の段ボールで形成されるハウスの左右側面部の端縁に沿って、第二及び第三の段ボールのひだ折り部分を差し込む複数の切込溝が形成され、第四の段ボールが、猫用爪研ぎ器をその爪研ぎ面が露出するように包み込むラップラウンドケースに組み立てられると共に、当該ラップラウンドケースの左右両端側にハウスの左右側面部の上端を差し込むスリットが形成されていることを特徴とする。
【考案の効果】
【０００９】
本考案の猫用遊具は、ハウスの上面部が、ひだ折りして強度を高めた第二及び第三の段ボールと、猫用爪研ぎ器を包み込むラップラウンドケースに組み立てられた第四の段ボールとで形成されるから、体重１０Ｋｇの猫が飛び乗っても、その上面部が凹んでハウスが押し潰されるおそれはない。
【００１０】
また、ハウスの上面部に飛び乗った猫は、その上面部でうずくまって寝ることができるだけでなく、上面部の一部を形成するラップラウンドケースに包み込まれた猫用爪研ぎ器の爪研ぎ面を引っ掻いて、ストレスを解消することもできる。
【００１１】
更に、第二及び第三の段ボールは、第一の段ボールで形成されるハウスの左右側面部間の間隔よりも幅広に形成されているから、その第二及び第三の段ボールの側端部が、ハウスの側面部よりも外方へ突出した状態となる。そして、猫は、突出物に興味を示して、その突出物を爪で引っ掻いたり、かじったりして遊ぶ習性があり、しかも、段ボールに非常な興味を示すので、ハウスの側面部から外方へ突出した第二及び第三の段ボールの側端部を爪で引っ掻いたり、かじったりして遊ぶことは必至であり、そのことは実験でも確認されている。
【図面の簡単な説明】
【００１２】
【図１】本考案の実施例に係る猫用遊具の構成を示す斜視図である。
【図２】本考案の実施例に係る猫用遊具の分解図である。
【図３】本考案の実施例に係る猫用遊具の組立方法を示す図である。
【図４】本考案の実施例に係る猫用遊具の使用例を示す図である。
【考案を実施するための形態】
【００１３】
本考案に係る猫用遊具の実施形態は、猫が入り込める箱形のハウスを形成する段ボールが、ハウスの底面部と左右側面部を形成する第一の段ボールと、ハウスの上面部の一部と前面部を形成する第二の段ボールと、ハウスの上面部の一部と後面部を形成する第三の段ボールと、第二の段ボールと第三の段ボールとの間に介在してハウスの上面部の一部を形成する第四の段ボールとから成り、第二及び第三の段ボールが、ハウスの左右側面部間の間隔よりも幅広に形成されて、長さ方向に沿って一定の間隔もしくはランダムな間隔でひだ折りされ、第一の段ボールで形成されるハウスの左右側面部の端縁に沿って、第二及び第三の段ボールのひだ折り部分を差し込む複数の切込溝が形成され、第四の段ボールが、猫用爪研ぎ器をその爪研ぎ面が露出するように包み込むラップラウンドケースに組み立てられると共に、当該ラップラウンドケースの左右両端側にハウスの左右側面部の上端を差し込むスリットが形成されている。
【００１４】
第一〜第四の段ボールは、いずれもフルートの両面に表ライナと裏ライナを貼り合わせた両面段ボールで成り、第一の段ボールをフルートに対して直角方向に折り起こして、ハウスの左右側面部が形成され、第二及び第三の段ボールをフルートに対して直角方向に折って、ひだ折り部分が形成されている。
【００１５】
第二及び第三の段ボールのひだ折り部分には、ハウスの左右側面部の端縁に沿って形成された切込溝の溝底に差し込む切込溝が形成されると共に、ひだ折りの折り目に沿って裏ライナとフルートが切断されている。
【００１６】
ハウスの左右側面部の上端には、ハウスの前面部側もしくは後面部側で上方に突出する一対の突起が形成され、当該両突起の上に、ハウスの上面部を形成する第二もしくは第三の段ボールが覆い被さって、ハウスの上面部の端に隆起部が形成され、当該隆起部に、猫じゃらし棒を挿し立てるための穴が穿設されている。
【００１７】
ハウスの前面部もしくは後面部の下端とハウスの底面部との間には、猫がハウス内から前肢を繰り出せる程度の隙間が形成され、また、ハウスの左右側面部の一方又は双方に、猫の出入口が開口形成されている。
【００１８】
第四の段ボールで組み立てられるラップラウンドケースに包み込む猫用爪研ぎ器は、数センチ程度の厚さに断面カットされた積層段ボールで形成され、当該積層段ボールの断面が、爪研ぎ面となっている。
【実施例】
【００１９】
図１の猫用遊具は、猫が入り込める箱形のハウス１が、当該ハウスの底面部１ａと左右側面部１ｂ、１ｂを形成する第一の段ボール２と、ハウスの上面部１ｃの一部と前面部１ｄを形成する第二の段ボール３と、ハウスの上面部１ｃの一部と後面部１ｅを形成する第三の段ボール４と、第二の段ボール３と第三の段ボール４との間に介在してハウス１の上面部１ｃの一部を形成する第四の段ボール５とで組み立てられている。なお、これら段ボール２、３、４及び５は、いずれもフルートＦの両面に表ライナＲ１と裏ライナＲ２を貼り合わせた厚さ５ｍｍの両面段ボールで形成されている。
【００２０】
第一の段ボール２で形成されるハウス１の底面部１ａは、幅２５〜３５ｃｍ程度、奥行４０〜５０ｃｍ程度のサイズを有し、当該底面部１ａの左右両端側から折り起こす側面部１ｂ、１ｂは、２０〜３０ｃｍ程度の高さを有している。なお、ハウス１の左右側面部１ｂ、１ｂは、ハウス１の上面部１ｃに乗った猫の重さで押し潰されないようにするため、第一の段ボール２をそのフルートＦに対して直角方向に折り起こして形成されている。
【００２１】
第二及び第三の段ボール３、４は、ハウス１の左右側面部１ｂ、１ｂ間の間隔よりも３〜６ｃｍ程度幅広に形成され、長さ方向に沿ってランダムな間隔でひだ折りされている。なお、第二及び第三の段ボール３、４は、これらで形成するハウス１の上面部１ｃが猫の荷重で凹んだり、押し潰されることを確実に防止するため、フルートＦに対して直角方向に折ってひだ折り部分６、６…が形成されると共に、そのひだ折りの折り目に沿って裏ライナＲ２とフルートＦが切断されることにより、ひだ折り部分６、６…の荷重に対する強度が最大限に高められている。
【００２２】
第１の段ボール２で形成されるハウス１の左右側面部１ｂ、１ｂには、その端縁に沿って、第二及び第三の段ボール３、４のひだ折り部分６、６…を差し込む複数の切込溝７、７…が形成され、第二及び第三の段ボール３、４のひだ折り部分６、６…には、ハウス１の左右側面部１ｂ、１ｂの端縁に沿って形成された切込溝７、７…の溝底に差し込む切込溝８、８…が形成されている。
【００２３】
また、ハウス１の左右側面部１ｂ、１ｂの上端には、ハウス１の後面部１ｅ側で上方に５〜８ｃｍ程度突出する一対の突起９、９が形成され、当該両突起９、９の上に、ハウス１の後面部１ｅと上面部１ｃの一部を形成する第三の段ボール４が覆い被さって、ハウスの上面部１ｃの端に桟のような隆起部１０が形成され、当該隆起部１０に、猫じゃらし棒を挿し立てるための穴１１が一以上穿設されている。
【００２４】
第二の段ボール３で形成されるハウス１の前面部１ｄの下端と、第一の段ボール２で形成されるハウス１の底面部１ａとの間には、猫がハウス１内から前肢を繰り出すことができる高さ３〜５ｃｍ程度の隙間１２が形成されるようになっている。また、ハウス１の左右側面部１ｂ、１ｂには、猫が潜り抜けることができるアーチ型の出入口１３が開口形成されている。
【００２５】
第四の段ボール５は、猫用爪研ぎ器１４をその爪研ぎ面１５が窓孔１６から露出するように包み込むラップラウンドケースＣに組み立てられると共に、当該ラップラウンドケースＣの左右両端側に、ハウス１の左右側面部１ｂ、１ｂの上端を差し込むスリット１７、１７が形成されている。
【００２６】
猫用爪研ぎ器１４は、厚さ２．６ｍｍの片面段ボールもしくは厚さ３．０ｍｍの両面段ボールを積層して貼り合わせた積層段ボールを２〜３ｃｍ程度の厚さに断面カットした縦約２０ｃｍ、横約１４〜１５ｃｍの方形ボードで形成され、その積層段ボールの断面が爪研ぎ面１５となっている。
【００２７】
なお、各段ボール２、３、４及び５には、上記のような形状に折るための罫線が設けられている。
しかして、実施例の猫用遊具を組み立てる際は、図３の如く、第一の段ボール２は、ハウス１の左右側面部１ｂ、１ｂを形成する部分を折り起こし、第二及び第三の段ボール３、４は、その長さ方向に沿ってランダムな間隔でひだ折りし、第四の段ボール５は、窓孔１６の内側に配置した猫用爪研ぎ器１４を包み込むように折って図２の如きラップラウンドケースＣに組み立てた状態として、第一の段ボール２に第二〜第四の段ボール３、４、５を順次組み付ける。
【００２８】
このようにして組み立てられた図１の猫用遊具は、ハウス１の内部が、暗くて狭い所に入り込む猫の習性を満足させると同時に、その内部に入り込んだ猫が、ハウス１の底面部１ａの近くに開口する隙間１２からハウス１の外に置かれた猫用玩具等に向かって前肢を繰り出すなどして遊ぶことができる。
【００２９】
また、ハウス１の上面部１ｃが、高い所に乗ってうずくまる猫の習性を満足させるベッドになると同時に、その上面部１ｃに乗った猫が、爪研ぎ器１４を引っ掻いて、爪を研いだり、ストレスを解消することができ、また、ハウスの上面部１ｃの端に形成された隆起部１０を枕にして寝ることができ、更に、当該隆起部１０に穿設した穴１１、１１…に挿し立てられた猫じゃらし棒（図示せず）でじゃれ遊ぶこともできる。
【００３０】
また、第一の段ボール２で形成されるハウス１の左右側面部１ｂ、１ｂ間の間隔よりも幅広に形成された第二及び第三の段ボール３、４の側端部が、ハウス１の側面部１ｂ、１ｂから外方へ突出し、また、第二及び第三の段ボール３、４のひだ折り部分６、６…が、ハウス１内に突出しているから、それらの突出部分が、突出物に興味を示し、突出物を爪で引っ掻いたり、かじったりして遊ぶ猫の習性を満足させるものとなる。
【００３１】
また、図１の猫用遊具は、図４の如く、ハウス１の前面部１ｄを上に向け、その底面部１ａを室内の壁に添わせるように設置して使用することもでき、このように設置すると、ハウス１の高さが図１の場合よりも高くなるから、高い所に乗ってうずくまる猫の習性をより満足させることができると同時に、爪研ぎ器１４が垂直状態に設置されることとなるので、柱などで爪研ぎすることを好む猫の習性も満足させることができる。また、図４の如くハウス１の後面部１ｅを下に向けて室内の床に置けば、その後面部１ｅ側に突出した隆起部１０によってハウス１の転倒が防止される。
【産業上の利用可能性】
【００３２】
本考案は、猫のストレスを解消させることができると同時に、経済性、環境性等の諸条件を兼ね備えた理想的な猫用遊具を提供するものである。
【符号の説明】
【００３３】
１…ハウス
１ａ…ハウスの底面部
１ｂ…ハウスの側面部
１ｃ…ハウスの上面部
１ｄ…ハウスの前面部
１ｅ…ハウスの後面部
２…第一の段ボール
３…第二の段ボール
４…第三の段ボール
５…第四の段ボール
Ｆ…段ボールのフルート
Ｒ１…段ボールの表ライナ
Ｒ２…段ボールの裏ライナ
６…ひだ折り部分
７…切込溝
８…切込溝
９…突起
１０…隆起部
１１…穴
１２…隙間
１３…出入口
１４…猫用爪研ぎ器
１５…爪研ぎ面
１６…窓孔
１７…スリット
Ｃ…ラップラウンドケース
【図１】
0003151070.tif 000003
【図２】
0003151070.tif 000004
【図３】
0003151070.tif 000005
【図４】
0003151070.tif 000006